(57)【要約】【課題】放射線撮影システム全体の可搬性を向上させつつ、システムコストを低減する。【解決手段】第一及び第二の撮影部を有する放射線撮影システムであって、第一の撮影部は、メモリと、第一及び第二の撮影部での撮影に対応する複数の撮影オーダを示す複数の識別情報を受信する受信部と、第一の撮影部の放射線検出部により得られる放射線画像と、複数の撮影オーダのうち該放射線画像と対応する撮影オーダの識別情報とを関連付けてメモリに記憶させる第一の制御と、複数の撮影オーダのうち他の撮影部での撮影に対応する撮影オーダについて撮影が完了したことを示す情報と該撮影オーダを示す識別情報とを関連付けてメモリに記憶させる第二の制御とを行う制御部とを有し、第二の撮影部は、該撮影部で複数の撮影オーダのうち１つの撮影オーダに対応する撮影が行われたことを示す情報を外部に送信する送信部を有する。【選択図】  図１
2019055207.tif 000002
【特許請求の範囲】
【請求項１】
放射線発生部から照射された放射線を検出して放射線画像を得る放射線検出部を備える第一及び第二の撮影部を有する放射線撮影システムであって、
前記第一の撮影部は、
メモリと、
前記第一及び第二の撮影部での撮影に対応する複数の撮影オーダを示す複数の識別情報を受信する受信手段と、
前記第一の撮影部の放射線検出部により得られる放射線画像と、前記複数の撮影オーダのうち該放射線画像と対応する撮影オーダの識別情報とを関連付けて前記メモリに記憶させる第一の制御と、前記複数の撮影オーダのうち他の撮影部での撮影に対応する撮影オーダについて撮影が完了したことを示す情報と該撮影オーダを示す識別情報とを関連付けて前記メモリに記憶させる第二の制御と、を行う制御手段と、
を有し、
前記第二の撮影部は、
該撮影部で前記複数の撮影オーダのうち１つの撮影オーダに対応する撮影が行われたことを示す情報を外部に送信する送信手段
を有することを特徴とする放射線撮影システム。
【請求項２】
放射線を生成する放射線発生部と、前記放射線発生部から照射された放射線を検出して放射線画像を取得する１台以上の撮影部とを有する放射線撮影システムであって、
前記撮影部は、前記放射線画像の撮影と放射線撮影システムの制御とを行う第１の動作モード又は前記放射線画像の撮影を行う第２の動作モードで動作するように制御する制御手段を備えることを特徴とする放射線撮影システム。
【請求項３】
前記放射線撮影システムは、前記撮影部により撮影された前記放射線画像を表示し、撮影オーダ情報の入力を受け付ける操作表示部をさらに有し、
前記撮影部は、前記操作表示部が前記撮影部と接続されたことを検出する検出手段をさらに備え、
前記制御手段は、前記操作表示部が前記撮影部と接続されている場合は前記撮影部を前記第１の動作モードへ切り替え、前記操作表示部が前記撮影部と接続されていない場合は前記撮影部を前記第２の動作モードへ切り替えることを特徴とする請求項２に記載の放射線撮影システム。
【請求項４】
前記制御手段は、前記撮影オーダ情報と、前記撮影部により撮影された前記放射線画像とを関連付けることを特徴とする請求項３に記載の放射線撮影システム。
【請求項５】
前記撮影部は、前記操作表示部から取得した前記撮影オーダ情報を、他の撮影部に通知する通知手段をさらに備えること特徴とする請求項３又は４に記載の放射線撮影システム。
【請求項６】
前記通知手段は、前記制御手段により前記撮影オーダ情報と前記放射線画像とが関連付けられた後に、前記撮影オーダ情報に基づく撮影が完了したことを他の撮影部に通知することを特徴とする請求項５に記載の放射線撮影システム。
【請求項７】
前記他の撮影部は、前記撮影オーダ情報に基づく撮影が完了したことの通知を前記撮影部から受けると、前記撮影オーダ情報を消去または使用禁止にすることを特徴とする請求項６に記載の放射線撮影システム。
【請求項８】
前記制御手段は、前記放射線発生部から照射された放射線の検出に基づいて、前記放射線の照射中の蓄積動作と、前記蓄積動作の後の読み出し動作とをさらに制御することを特徴とする請求項２乃至７の何れか１項に記載の放射線撮影システム。
【請求項９】
前記撮影部は、ユーザから動作モードの指定を受け付ける指定手段をさらに備え、
前記制御手段は、前記指定に基づいて前記第１の動作モードと前記第２の動作モードとを切り替えることを特徴とする請求項２に記載の放射線撮影システム。
【請求項１０】
放射線発生部から照射された放射線を検出して放射線画像を得る放射線検出部を備える放射線撮影装置であって、
前記放射線撮影装置は、その他の放射線撮影装置を含む放射線撮影システムにおいて用いられることが可能であり、
前記放射線撮影装置は、
メモリと、
前記放射線撮影装置及び前記その他の放射線撮影装置での撮影に対応する複数の撮影オーダを示す複数の識別情報を受信する受信手段と、
前記放射線検出部により得られる放射線画像と、前記複数の撮影オーダのうち該放射線画像と対応する撮影オーダの識別情報とを関連付けて前記メモリに記憶させる第一の制御と、前記複数の撮影オーダのうち前記その他の放射線撮影装置での撮影に対応する撮影オーダについて撮影が完了したことを示す情報と該撮影オーダを示す識別情報とを関連付けて前記メモリに記憶させる第二の制御と、を行う制御手段と、
を有することを特徴とする放射線撮影装置。
【請求項１１】
放射線発生部から照射された放射線を検出して放射線画像を得る放射線検出部を備える第一及び第二の撮影部を有する放射線撮影システムの制御方法であって、
前記第一の撮影部はメモリを備えており、
前記第一の撮影部では、
受信手段が、前記第一及び第二の撮影部での撮影に対応する複数の撮影オーダを示す複数の識別情報を受信する受信工程と、
制御手段が、前記第一の撮影部の放射線検出部により得られる放射線画像と、前記複数の撮影オーダのうち該放射線画像と対応する撮影オーダの識別情報とを関連付けて前記メモリに記憶させる第一の制御と、前記複数の撮影オーダのうち他の撮影部での撮影に対応する撮影オーダについて撮影が完了したことを示す情報と該撮影オーダを示す識別情報とを関連付けて前記メモリに記憶させる第二の制御と、を行う制御工程と、
を有し、
前記第二の撮影部では、
送信手段が、該撮影部で前記複数の撮影オーダのうち１つの撮影オーダに対応する撮影が行われたことを示す情報を外部に送信する送信工程
を有することを特徴とする放射線撮影システムの制御方法。
【請求項１２】
放射線を生成する放射線発生部と、前記放射線発生部から照射された放射線を検出して放射線画像を取得する１台以上の撮影部とを有する放射線撮影システムの制御方法であって、
前記撮影部の制御手段が、前記放射線画像の撮影と放射線撮影システムの制御とを行う第１の動作モード又は前記放射線画像の撮影を行う第２の動作モードで前記撮影部が動作するように制御する工程を有することを特徴とする放射線撮影システムの制御方法。
【請求項１３】
請求項１１または１２に記載の放射線撮影システムの制御方法の工程をコンピュータに実行させるためのプログラム。
【請求項１４】
放射線発生部から照射された放射線を検出して放射線画像を得る放射線検出部を備える放射線撮影装置の制御方法であって、
前記放射線撮影装置はメモリを備えており、その他の放射線撮影装置を含む放射線撮影システムにおいて用いられることが可能であり、
受信手段が、前記放射線撮影装置及び前記その他の放射線撮影装置での撮影に対応する複数の撮影オーダを示す複数の識別情報を受信する受信工程と、
制御手段が、前記放射線検出部により得られる放射線画像と、前記複数の撮影オーダのうち該放射線画像と対応する撮影オーダの識別情報とを関連付けて前記メモリに記憶させる第一の制御と、前記複数の撮影オーダのうち前記その他の放射線撮影装置での撮影に対応する撮影オーダについて撮影が完了したことを示す情報と該撮影オーダを示す識別情報とを関連付けて前記メモリに記憶させる第二の制御と、を行う制御工程と、
を有することを特徴とする放射線撮影装置の制御方法。
【請求項１５】
請求項１４に記載の放射線撮影装置の制御方法の工程をコンピュータに実行させるためのプログラム。
【発明の詳細な説明】
【技術分野】
【０００１】
本発明は、放射線撮影システム、放射線撮影装置、それらの制御方法およびプログラムに関する。
【背景技術】
【０００２】
放射線撮影システムは、放射線を発生する放射線発生装置と、放射線を検出して放射線画像を生成する撮影部とを含んでいる。近年では、撮影部としてフラットパネルディテクタ（ＦＰＤ）を使用した製品が普及している。ＦＰＤのディテクタ面上に検出素子（画素）がマトリクス状に配置されており、ＦＰＤは、放射線の検出量に応じて画素ごとに発生した信号電荷を蓄積し、その後にＡ／Ｄ変換してデジタルデータとして取得する。このデジタルデータは画像処理を施されて診断に供される。
【０００３】
一般的に、撮影部を使用する放射線撮影システムでは、撮影部の動作設定や患者の姓名、撮影部位等の撮影オーダ情報の入力や撮影画像の表示を行うためにシステム制御部が用意され、システム内に存在する撮影部は全てシステム制御部の制御下に置かれる。システム制御部には操作部及び表示部が接続され、操作部によって撮影部の操作を行い、表示部によって撮影部が出力する放射線画像の表示を行う。一般に、システム制御部にはＰＣが、操作部にはキーボードやマウス等の入力装置が、表示部には液晶ディスプレイ等の表示装置が用いられる。
【０００４】
患者の撮影を行う放射線技師は、放射線の曝射量等の撮影条件を放射線発生装置に設定し、使用する撮影部の選択、撮影部位や患者の姓名、身長・体重などの撮影オーダ情報をシステム制御部に入力した後に、患者を撮影部に誘導し曝射ボタンの押下に基づいて放射線撮影を実施する。
【０００５】
しかしながら、例えば立位での撮影予定だったものの、患者が体を支えられずに臥位での撮影に急遽変更する場合や、大角サイズでの撮影予定が、患者の体格が大きいために半切サイズに変更する場合など、撮影オーダ情報の変更が必要な状況が発生しうる。従来は、放射線技師がシステム制御部まで移動して撮影オーダの変更を行う必要があった。
【０００６】
これに対して、特許文献１では、このような煩雑さを軽減するため、システム制御部と通信可能な操作部を撮影部に接続し、システム制御部まで移動しなくても操作部からシステム制御部の撮影オーダ情報を修正できるようにする技術が開示されている。
【先行技術文献】
【特許文献】
【０００７】
【特許文献１】特開２０１０−２６８８２２号公報
【発明の概要】
【発明が解決しようとする課題】
【０００８】
しかしながら、特許文献１に記載の技術であっても、システム制御部が必要であるため、放射線撮影システムの運搬や設置が煩雑となりシステム全体の可搬性を向上させることができず、さらにはシステムコストも高くなるという課題がある。
【０００９】
本発明は、上記の課題に鑑みてなされたものであり、放射線撮影システム全体の可搬性を向上させつつ、システムコストを低減することを目的とする。
【課題を解決するための手段】
【００１０】
上記の目的を達成するために、本発明に係る放射線撮影システムは、以下の構成を備える。即ち、
放射線発生部から照射された放射線を検出して放射線画像を得る放射線検出部を備える第一及び第二の撮影部を有する放射線撮影システムであって、
前記第一の撮影部は、
メモリと、
前記第一及び第二の撮影部での撮影に対応する複数の撮影オーダを示す複数の識別情報を受信する受信手段と、
前記第一の撮影部の放射線検出部により得られる放射線画像と、前記複数の撮影オーダのうち該放射線画像と対応する撮影オーダの識別情報とを関連付けて前記メモリに記憶させる第一の制御と、前記複数の撮影オーダのうち他の撮影部での撮影に対応する撮影オーダについて撮影が完了したことを示す情報と該撮影オーダを示す識別情報とを関連付けて前記メモリに記憶させる第二の制御と、を行う制御手段と、
を有し、
前記第二の撮影部は、
該撮影部で前記複数の撮影オーダのうち１つの撮影オーダに対応する撮影が行われたことを示す情報を外部に送信する送信手段
を有する。
【発明の効果】
【００１１】
本発明によれば、放射線撮影システム全体の可搬性を向上させつつ、システムコストを低減することが可能となる。
【図面の簡単な説明】
【００１２】
【図１】本発明の一実施形態に係る放射線撮影システムの構成例を示す図である。
【図２】本発明の一実施形態に係る撮影部がマスタ撮影部として動作する場合の内部構成の一例を示すブロック図である。
【図３】本発明の一実施形態に係る撮影部がスレーブ撮影部として動作する場合の内部構成の一例を示すブロック図である。
【図４】本発明の一実施形態に係る撮影部がマスタ撮影部として動作する場合の内部構成の別の例を示すブロック図である。
【発明を実施するための形態】
【００１３】
以下、添付の図面を参照しながら、本発明の実施の形態について詳述する。
【００１４】
＜１．放射線撮影システムの構成＞
図１は、本発明の一実施形態に係る放射線撮影システムの構成例を示す図である。放射線撮影システムは、マスタ撮影部１と、スレーブ撮影部２と、操作表示部３と、放射線制御部４と、放射線管球５と、通信経路６と、ＨＩＳ（Ｈｏｓｐｉｔａｌ  Ｉｎｆｏｒｍａｔｉｏｎ  Ｓｙｓｔｅｍ：病院内情報システム）／ＲＩＳ（Ｒａｄｉｏｌｏｇｙ  Ｉｎｆｏｒｍａｔｉｏｎ  Ｓｙｓｔｅｍ：放射線情報システム）端末７と、ストレージサーバ８と、検像ワークステーション９とを含む。なお、放射線制御部４と、放射線管球５とをまとめて放射線発生部と称する。
【００１５】
マスタ撮影部１と１台以上のスレーブ撮影部２とは、通信経路６を介して相互に通信可能に接続されている。通信経路６は有線・無線を問わない。操作表示部３はマスタ撮影部１に接続される。通信経路６には、マスタ撮影部１、スレーブ撮影部２のほか、放射線制御部４が接続され、放射線制御部４の指示により放射線管球５より放射線が照射される。同じく、通信経路６にはＨＩＳ／ＲＩＳ端末７、撮影画像を保存するストレージサーバ８、撮影画像に画像処理を施して最終的に診断に供するための作業を行う検像ワークステーション９が接続されている。
【００１６】
マスタ撮影部１とスレーブ撮影部２とは、動作モードの違いにより別の名称を付与しているが機器自体は全く同一のものである。以下、マスタ撮影部１とスレーブ撮影部２とを区別する必要がない場合は撮影部と呼称する。
【００１７】
＜２．撮影部の内部構成＞
次に、撮影部の内部構成について説明する。図２はマスタ撮影部１の内部構成を示した図であり、図３はスレーブ撮影部２の内部構成を示した図である。撮影部は、放射線検出部１１と、ローカル制御部１２と、通信部１３と、システム制御部１４と、操作表示部検出部１５とを有する。
【００１８】
放射線検出部１１は、シンチレータと光検出器アレイと駆動回路およびＡ／Ｄ変換回路とを備える（不図示）。シンチレータでは高エネルギーの放射線により蛍光体の母体物質が励起され、再結合時のエネルギーにより蛍光を発する。シンチレータに隣接して光検出器アレイが配置されている。光検出器アレイは光子を電気エネルギーに変換して蓄積する画素をマトリクス状に配置した構造で、蓄積した電気エネルギーは駆動回路によって順次取り出され、Ａ／Ｄ変換回路によって入射放射線量に応じたデジタルデータとして出力される。なお、放射線検出部１１の構成はこの例に限定されるものではなく、例えば放射線に対して直接感度をもつ検出器を用いてもよい。
【００１９】
ローカル制御部１２は、撮影部内の動作を制御する。具体的には放射線検出部１１の動作制御を実施して放射線画像の撮影動作を行い、撮影前に通信部１３を介して外部装置から受信した撮影オーダ情報を撮影後に放射線画像と関連付け、画像を保存するストレージサーバ８や、画像処理等を施し診断に供する最終画像を生成するための検像ワークステーション９へ当該放射線画像を出力する。
【００２０】
通信部１３は、外部装置との通信を行い、外部装置から撮影オーダ情報を受信したり、撮影された放射線画像を外部装置へ送信したりする。
【００２１】
システム制御部１４は、自身を含めて撮影部が存在する放射線撮影システム全体を制御する。例えば、撮影オーダ情報の入力など撮影部の動作を設定する操作や撮影画像の表示処理などを実施する。システム制御部１４が行う処理には、情報入力や画像出力のために入出力装置が必要となるが、撮影部外に設けた操作表示部３を当該入出力装置として使用する。操作表示部３は、マスタ撮影部１のシステム制御部１４に接続されて（図２参照）、放射線撮影システム全体を制御するためのコンソール画面および撮影部で撮影された画像を表示し、コンソール上に表示されたボタン等により操作や文字入力を受け付ける。その用途から液晶タッチパネルディスプレイが好適である。あるいはそれを備えたモバイル型ＰＣやタブレット端末を利用してもよい。
【００２２】
操作表示部検出部１５は、撮影部に操作表示部３が接続されていることを検出する。撮影部に操作表示部３が接続されていることが検知されると、操作表示部検出部１５はシステム制御部１４を有効に設定する。
【００２３】
本実施形態に示される放射線撮影システムにはマスタ撮影部１とスレーブ撮影部２との２種類の撮影部が存在するが、両者の内部構成は全く同一であり、撮影システム内に複数存在する撮影部のうち、任意の１台がマスタ撮影部１となり、他はスレーブ撮影部２として動作することでシステムを構成する。
【００２４】
放射線撮影システムの初期状態ではすべての撮影部がスレーブ撮影部２の状態である。続いて、操作表示部３の接続が行われる。任意の１台のスレーブ撮影部２に操作表示部３が接続されると、操作表示部検出部１５が自身に操作表示部３が接続されたことを検出し、システム制御部１４を有効化し、動作モードをマスタ撮影部１に切り替える。反対に、操作表示部３が接続されていない場合には、システム制御部１４を無効化し、動作モードをスレーブ撮影部２に切り替える。撮影部と操作表示部３との接続は有線・無線を問わない。無線接続を使用し複数の撮影部が存在する場合には、操作表示部３と特定の１台の撮影部との接続を確立する。
【００２５】
接続確立の方法としては、例えば、距離が一番近い撮影部と接続する、無線受信強度が一番強い撮影部と接続する、接続確立動作が最初に行われた撮影部と接続する、使用者が別途指定する撮影部と接続するなどいずれの手法を用いてもよい。すべての撮影部は同じ内部構成であるため、操作表示部３をいずれの撮影部に接続してもシステム動作上及び操作上の違いは生じない。特に無線接続の場合は、より良好な無線接続状況を確保するために接続先の撮影部を動的に変更してもよい。
【００２６】
操作表示部検出部１５の構成としては、接続が有線の場合は電気的または機械的なスイッチで接続検知してもよいし、有線・無線を問わず、システム制御部１４と操作表示部３との間で交わされる通信状況を監視して接続を検出してもよい。
【００２７】
また、図４に示すように、操作表示部検出部１５に代わってマスタ指定部１６を設けて使用者が任意の撮影部をマスタ撮影部１となるように指定できるようにしてもよい。例えばマスタ指定部１６は電気的または機械的スイッチ等でユーザがスイッチをＯＮにするとシステム制御部１４を有効にしてマスタ撮影部１として動作開始する。これは操作表示部３がない状態においても放射線撮影システムを運用する際に有用である。
【００２８】
＜３．撮影部の具体的な処理＞
マスタ撮影部１となった撮影部は、放射線撮影システム内に存在するすべてのスレーブ撮影部２に対してマスタモード動作中であることを示すメッセージを通知する。このメッセージを受信したスレーブ撮影部２は、今後の撮影時における画像データ送信先としてメッセージ送信元のマスタ撮影部１を設定する。
【００２９】
撮影に先立ち、放射線技師が操作表示部３の画面を操作して放射線の撮影条件や撮影部位、患者の姓名、身長・体重などの撮影オーダ情報を入力する。入力された撮影オーダ情報はマスタ撮影部１内のシステム制御部１４により自身を含めた全撮影部に配信され、各撮影部内のローカル制御部１２により保持される。また、放射線の撮影条件に関する設定は放射線制御部４にも設定される。なお、ここでは撮影オーダ情報を操作表示部３から放射線技師が手入力することとしたが、通信経路６に通信可能に接続されたＨＩＳ／ＲＩＳ端末７から配信することも可能である。その場合の配信経路については、マスタ撮影部１がＨＩＳ／ＲＩＳ端末７から撮影オーダ情報を受けた後に各スレーブ撮影部に配信してもよいし、ＨＩＳ／ＲＩＳ端末７から全撮影部に直接配信してもよい。
【００３０】
全撮影部のローカル制御部１２は、撮影オーダ情報を受信すると放射線検出部１１を撮影可能状態にすべく準備動作を実行する。その後、放射線検出部１１は撮影待機状態となる。この状態においては全撮影部に撮影オーダ情報が配信され、かつ放射線検出部１１も撮影待機状態にあるため、いずれの撮影部も撮影に使用することが可能となっている。例えば、立位撮影から臥位撮影に変更する場合や、患者の体格が大きかったためにより撮影領域の大きな撮影部に変更する場合においても追加の操作は不要で、そのまま所望の撮影部を用いて撮影が可能である。
【００３１】
放射線技師は撮影に適した任意の撮影部を選択して患者を整位し、放射線制御部４の曝射ボタンを押下して放射線管球５から放射線を照射して撮影を実施する。放射線照射によって患者の撮影画像を形成する電気エネルギーが放射線検出部１１に蓄積されている。当該電気エネルギーを読み出すためには、まず放射線照射が完了していることを確認した上で読み出しを実施する必要がある。例えば、撮影部自身が放射線照射状態を検出し放射線検出部１１を照射中の蓄積動作モードから、当該蓄積動作モードに続く読み出しモードに移行させてもよい。すなわち、任意の撮影部に対して放射線照射が行われると、その撮影部自身が放射線の入射を検出する。これらの処理はローカル制御部１２により実施され、放射線の入射を検出した撮影部のローカル制御部１２は、放射線照射の終了まで待機した後に、放射線検出部１１からの画像データ読み出しを実施する。読み出された撮影画像データは、撮影に先立って受信済みの撮影オーダ情報を例えば撮影画像データのヘッダ部に埋め込んで出力するなどの処理により、撮影オーダ情報と関連付けられる。関連付けが実施された撮影画像データはマスタ撮影部１のシステム制御部１４に送信され、操作表示部３に表示される。
【００３２】
この時、関連付けられた撮影オーダ情報は全ての撮影部に配信されているので、撮影に使用しなかった撮影部内には同じ内容の撮影オーダ情報が残っている。このまま次の撮影が実施された場合、別画像に対してこの撮影オーダ情報が関連付けられてしまうので、すべての撮影部においてこれを消去あるいは使用不可にする同期化が必要となる。撮影オーダ情報の同期化は、例えば撮影に使用された撮影部のローカル制御部１２において、撮影オーダ情報と取得画像の関連付けが完了した時点で、同オーダの撮影完了通知を全撮影部のローカル制御部１２に対して配信してもよい。あるいは、撮影に使用された撮影部のローカル制御部１２が、マスタ撮影部１のシステム制御部１４に同オーダの撮影完了通知を行い、それを受けたマスタ撮影部１のシステム制御部１４が自身を含めた全撮影部のローカル制御部１２に対して配信してもよい。
【００３３】
あるいは、撮影に使用された撮影部からはマスタ撮影部１のシステム制御部１４に撮影画像データが送信されるので、これを受信したマスタ撮影部１のシステム制御部１４で受信した撮影画像データに付加された撮影オーダ情報を読み取り、該当する撮影オーダ情報の撮影完了通知を自身を含めた全撮影部のローカル制御部１２に対して配信してもよい。撮影完了通知を受信した撮影部のローカル制御部１２は、該当する撮影オーダ情報を記憶領域から削除する、または使用不可の情報を付加する。
【００３４】
また、ＨＩＳ／ＲＩＳ端末７から撮影オーダ情報が配信され、かつ画像表示を必要としない場合は、マスタ撮影部１は不要ですべてスレーブ撮影部２のみでシステムを構築してもよい。これは病院外に持ち出して使用する際やモバイル放射線装置積載時など可搬性を特に重視する使用方法において特に有用である。
【００３５】
以上説明したように、本発明の一実施形態では、マスタ撮影部１と複数のスレーブ撮影部２とが通信経路６を介して相互に通信可能に接続される。操作表示部３はマスタ撮影部１に接続される。通信経路６にはさらに放射線制御部４が接続されており、放射線制御部４の指示により放射線管球５から放射線が照射される。同じく通信経路６にはさらにＨＩＳ／ＲＩＳ端末７、ストレージサーバ８、検像ワークステーション９が接続される。撮影オーダ情報は、操作表示部３またはＨＩＳ／ＲＩＳ端末７から全ての撮影部に配信される。撮影オーダ情報を受信したすべての撮影部は放射線検出部１１を撮影待機状態にして放射線撮影が実施されるのを待つ。放射線撮影が実施されると、撮影に使用された撮影部内で撮影オーダ情報と、撮影された放射線画像との関連付けが行われて出力される。実施された撮影オーダ情報は、撮影後にすべての撮影部から消去されるか、または使用禁止にされる。
【００３６】
本発明によれば、撮影オーダ情報をシステム内のすべての撮影部に配信し、撮影直後に撮影画像と撮影オーダ情報との関連付けを撮影に使用した撮影部内において実施することによって、撮影システム内に存在する任意の撮影部を用いて撮影が可能で、かつ、撮影オーダ情報と撮影画像の関連付けが確実に実施される撮影システムを実現することができる。
【００３７】
また、撮影システムを制御する機能をシステム内の所定の撮影部が担うため、撮影システム全体の可搬性に優れ、事故・災害時や自宅療養患者の往診時に病院外に持ち出しての使用や、モバイル放射線装置に撮影部を積載して病院内回診撮影システムを容易に構成可能な撮影システムを実現することができる。
【００３８】
さらには、放射線撮影システム全体の可搬性を向上させつつ、システムコストを低減することが可能となる。
【００３９】
別の実施形態では、上述した実施形態のマスタ撮影部１、スレーブ撮影部２において、マスタ機能とスレーブ機能とを適宜入れ替えて動作させる。例えば、放射線撮影システムに置いて２つの撮影部が存在している場合であって、マスタ撮影部１が他の放射線撮影システムで用いられるため、本システムとの関連付けが解除される場合である。かかる解除指示があった場合には、スレーブ撮影部２がマスタ撮影部として機能することとなる。また別の例では、複数の撮影オーダのそれぞれに利用すべき撮影部の情報が関連付けられている場合には、最も撮影回数の多い撮影部をマスタ撮影部１として選択することとしてもよい。また利用すべき撮影部でない撮影部については例えば省電力モードとしておくことで効率的な運用を実現することができる。逆に、撮影回数が最も少ない撮影部や、撮影回数が１以上の撮影部のうち、撮影回数が最も少ない撮影部をマスタ撮影部１として選定することで、放射線撮影システムの管理や制御といった処理を負荷の小さい撮影部に担当させることとなり、システムの堅牢性を向上させることができる。
【００４０】
上述のマスタ撮影部の選択は、例えばある時点でマスタ撮影部となっている撮影部のシステム制御部１４が撮影オーダの情報に基づいて選択する。撮影オーダに利用すべき撮影部の情報が関連付けられている場合には、当該利用すべき撮影部の情報を基に各撮影部による推定撮影回数を計算し、かかる計算結果を基に上述の通りマスタ撮影部を選択することとすればよい。あるいは、操作表示部３が上述の選択処理を実行することとしてもよい。また別の例では、操作表示部３がいずれかの撮影部を選択するための操作入力を受け付けることに応じてマスタ撮影部１を選択することとしてもよい。
【００４１】
また別の実施形態によれば、マスタ撮影部１、スレーブ撮影部２によらず、撮影により得られる放射線画像データ等の情報を各撮影部が直接操作表示部３等に送信する。この場合、マスタ撮影部１では、マスタ撮影部１の放射線検出部１１により得られる放射線画像と、複数の撮影オーダのうち当該放射線画像と対応する撮影オーダの識別情報とを関連付けてマスタ撮影部１のメモリに記憶させる第一の制御と、複数の撮影オーダのうちスレーブ撮影部２での撮影に対応する撮影オーダについて撮影が完了したことを示す情報と、撮影オーダを示す識別情報とを関連付けてメモリに記憶させる第二の制御を行う。かかる制御は、ローカル制御部１２で実行することとしてもよいし、システム制御部１４で行うこととしてもよいし、第一の制御をローカル制御部１２で、第二の制御をシステム制御部１４で行うこととしてもよい。
【００４２】
またスレーブ撮影部２の通信部１３は、複数の撮影オーダのうち１つの撮影オーダに対応する撮影が行われたことを示す情報を外部に送信する。ここで撮影が行われたことを示す情報と、スレーブ撮影部２のＩＤや、当該撮影オーダのＩＤとを関連付けてこれらの情報を合わせて外部に送信することとしてもよい。スレーブ撮影部２のＩＤ情報等がない場合には、情報の受信元で当該情報の送信元のＭＡＣアドレスやＩＰアドレスを基に送信元の装置が特定されることとなる。この外部の装置は、例えばマスタ撮影部１である。別の例でスレーブ撮影装置２はマスタ撮影部１に代えて直接ＨＩＳ／ＲＩＳ端末７やその他の中継端末に送信してもよいが、この場合にはマスタ撮影部１は別途かかる撮影が行われたことを示す情報を受信する。
【００４３】
その他の実施形態として、マスタ撮影部１あるいはスレーブ撮影部２を統合的に管理する制御装置を別途設けることとしてもよい。この場合には、撮影オーダの情報及びその進捗状況を示す情報が、マスタ撮影部１またはスレーブ撮影部２で管理されるだけでなく、制御装置でも管理されることとなる。このようにすることで情報を正確に管理することができる。操作表示部３が当該制御装置として機能することとしてもよい。
【００４４】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４５】
１：マスタ撮影部、２：スレーブ撮影部、３：操作表示部、４：放射線制御部、５：放射線管球、６：通信経路、７：ＨＩＳ／ＲＩＳ端末、８：ストレージサーバ、９：検像ワークステーション、１１：放射線検出部、１２：ローカル制御部、１３：通信部、１４：システム制御部、１５：操作表示部検出部、１６：マスタ指定部
【図１】
2019055207.tif 000003
【図２】
2019055207.tif 000004
【図３】
2019055207.tif 000005
【図４】
2019055207.tif 000006
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
放射線発生部から照射された放射線を検出して放射線画像を取得するために撮影動作を行う複数の撮影装置と、前記撮影動作のための撮影オーダ情報の入力及び前記放射線画像の出力を行う入出力装置と、を有する放射線撮影システムであって、
前記複数の撮影装置はそれぞれ、前記撮影オーダ情報に応じて前記複数の撮影装置のうちの少なくとも当該撮影装置とは別の撮影装置を制御する第１制御手段と、前記第１制御手段から受信した前記撮影オーダ情報に応じて当該撮影装置内の撮影動作を制御する第２制御手段と、を備え、
前記複数の撮影装置のうち指定を受けた１台の撮影装置の前記第１制御手段は有効化され、前記複数の撮影装置のうち指定を受けていない他の撮影装置の前記第１制御手段は無効化されている、ことを特徴とする放射線撮影システム。
【請求項２】
前記入出力装置は、前記複数の撮影装置により撮影された前記放射線画像を表示し、前記撮影オーダ情報の入力を受け付ける操作表示手段をさらに有し、
前記複数の撮影装置はそれぞれ、前記操作表示手段との接続を検出する検出手段をさらに備え、
前記第１制御手段は、前記検出手段による前記操作表示手段との接続が検出された場合は前記検出手段により有効に設定されることにより有効化され、前記検出手段による前記操作表示手段との接続が検出されていない場合は前記検出手段により有効に設定されないことにより無効化されていることを特徴とする請求項１に記載の放射線撮影システム。
【請求項３】
前記第２制御手段は、前記撮影オーダ情報と、前記撮影装置により撮影された前記放射線画像とを関連付けることを特徴とする請求項２に記載の放射線撮影システム。
【請求項４】
前記複数の撮影装置はそれぞれ、前記操作表示手段から取得した前記撮影オーダ情報を、前記他の撮影装置に通知する通知手段をさらに備えること特徴とする請求項２又は３に記載の放射線撮影システム。
【請求項５】
前記通知手段は、前記第２制御手段により前記撮影オーダ情報と前記放射線画像とが関連付けられた後に、前記撮影オーダ情報に基づく撮影が完了したことを前記他の撮影装置に通知することを特徴とする請求項４に記載の放射線撮影システム。
【請求項６】
前記他の撮影装置は、前記撮影オーダ情報に基づく撮影が完了したことの通知を受けると、前記撮影オーダ情報を消去または使用禁止にすることを特徴とする請求項５に記載の放射線撮影システム。
【請求項７】
前記複数の撮影装置はそれぞれ、前記放射線発生部から照射された放射線を検出して前記放射線画像を得る放射線検出手段を更に備え、
前記第２制御手段は、前記放射線検出手段への放射線の入射の検出に基づいて、前記放射線の照射中の蓄積動作と、前記蓄積動作の後の読み出し動作とをさらに制御することにより、前記撮影動作を制御することを特徴とする請求項１に記載の放射線撮影システム。
【請求項８】
前記複数の撮影装置はそれぞれ、ユーザからの指定を受け付ける指定手段をさらに備え、
前記第１制御手段は、前記指定手段が前記指定を受け付けた場合は前記指定手段により有効に設定されることにより有効化され、前記指定手段が前記指定を受け付けなかった場合は前記指定手段より有効に設定されないことにより無効化されている、ことを特徴とする請求項１乃至７の何れか１項に記載の放射線撮影システム。
【請求項９】
放射線発生部から照射された放射線を検出して放射線画像を取得するために撮影動作を行う複数の撮影装置と、前記撮影動作のための撮影オーダ情報の入力及び前記放射線画像の出力を行う入出力装置と、を有する放射線撮影システムに使用され得る撮影装置であって、
前記撮影オーダ情報に応じて前記複数の撮影装置のうちの少なくとも当該撮影装置とは別の撮影装置を制御する第１制御手段と、前記第１制御手段から受信した前記撮影オーダ情報に応じて当該撮影装置内の撮影動作を制御する第２制御手段と、を備え、
指定を受けた場合には前記第１制御手段は有効化され、指定を受けていない場合には前記第１制御手段は無効化されている、ことを特徴とする撮影装置。
【請求項１０】
放射線発生部から照射された放射線を検出して放射線画像を取得するために撮影動作を行う複数の撮影装置と、前記撮影動作のための撮影オーダ情報の入力及び前記放射線画像の出力を行う入出力装置と、を有する放射線撮影システムの制御方法であって、
前記複数の撮影装置はそれぞれ、前記撮影オーダ情報に応じて前記複数の撮影装置のうちの少なくとも当該撮影装置とは別の撮影装置を制御する第１制御手段と、前記第１制御手段から受信した前記撮影オーダ情報に応じて当該撮影装置内の撮影動作を制御する第２制御手段と、を備え、
前記複数の撮影装置のうち指定を受けた１台の撮影装置の前記第１制御手段を有効化し、前記複数の撮影装置のうち指定を受けていない他の撮影装置の前記第１制御手段を無効化する、ことを特徴とする放射線撮影システムの制御方法。
【請求項１１】
請求項１０に記載の放射線撮影システムの制御方法の工程をコンピュータに実行させるためのプログラム。
【手続補正２】
【補正対象書類名】明細書
【補正対象項目名】００１０
【補正方法】変更
【補正の内容】
【００１０】
上記の目的を達成するために、本発明に係る放射線撮影システムは、以下の構成を備える。即ち、
放射線発生部から照射された放射線を検出して放射線画像を取得するために撮影動作を行う複数の撮影装置と、前記撮影動作のための撮影オーダ情報の入力及び前記放射線画像の出力を行う入出力装置と、を有する放射線撮影システムであって、
前記複数の撮影装置はそれぞれ、前記撮影オーダ情報に応じて前記複数の撮影装置のうちの少なくとも当該撮影装置とは別の撮影装置を制御する第１制御手段と、前記第１制御手段から受信した前記撮影オーダ情報に応じて当該撮影装置内の撮影動作を制御する第２制御手段と、を備え、
前記複数の撮影装置のうち指定を受けた１台の撮影装置の前記第１制御手段は有効化され、前記複数の撮影装置のうち指定を受けていない他の撮影装置の前記第１制御手段は無効化されている、ことを特徴とする。
【手続補正４】
【補正対象書類名】明細書
【補正対象項目名】０００１
【補正方法】変更
【補正の内容】
【０００１】
本発明は、放射線撮影システム、撮影装置、放射線撮影システムの制御方法およびプログラムに関する。